(57)【要約】      （修正有）【課題】上下に積重ねられる複数の物体を連結する帯状体であって、両端部を最も下に位置する最下位置物体の側面若しくは底面に貼付け、または帯状体で複数の物体を包んだ状態で両端部を接続することにより複数の物体の連結を維持するものにおいて、視認性を高めると共に、作業性を向上させた帯状体を提供する。【解決手段】積重ねられた複数の物体２のうち少なくとも最も上に位置する最上位置物体は対向する一対の側縁を有する天面部を備えるものであり、帯状体１は、最上位置物体の天面部に位置する上面部３１と、上面部３１の両端縁に連設し、最上位置物体の天面部の各側縁から下方へ折り曲げて垂下する一対の垂下部３２，３２とを備え、上面部３１の一方の側縁部には、垂下部３２を下方に折り曲げた際に垂下部３２の折曲縁から上方へ起立する突片４を形成する切込線３１ａが設けられ、突片４は印刷部５を備える。【選択図】図１
0003141840.tif 000002
【実用新案登録請求の範囲】
【請求項１】
上下に積重ねられる複数の物体を連結する帯状体であって、両端部を最も下に位置する最下位置物体の側面若しくは底面に貼付け、または帯状体で複数の物体を包んだ状態で両端部を接続することにより複数の物体の連結を維持するものにおいて、
積重ねられた複数の物体のうち少なくとも最も上に位置する最上位置物体は対向する一対の側縁を有する天面部を備えるものであり、
帯状体は、
最上位置物体の天面部に位置する上面部と、
上面部の両端縁に連設し、最上位置物体の天面部の各側縁から下方へ折り曲げて垂下する一対の垂下部とを備え、
上面部の一方の側縁部には、垂下部を下方に折り曲げた際に垂下部の折曲縁から上方へ起立する突片を形成する切込線が設けられ、
突片は印刷部を備えることを特徴とする帯状体。
【請求項２】
請求項１に記載の帯状体において、前記上面部の両側縁部に前記突片を形成する前記切込線が設けられていることを特徴とする帯状体。
【請求項３】
請求項１または請求項２に記載の帯状体において、前記物体は上面が開口する箱本体と、箱本体の開口を閉塞する前記最上位置物体としての蓋体との２つであることを特徴とする帯状体。
【考案の詳細な説明】
【技術分野】
【０００１】
本考案は、上下方向に積重ねられる複数の物体を連結する帯状体であって、具体的には、納豆パックを上下方向に複数積重ねて連結する帯状体や、お弁当の包装箱の箱本体と蓋体とを連結する帯状体等に関する。
【背景技術】
【０００２】
従来、例えば、コンビニ等のお弁当の包装箱のような上面が開口する箱本体と、箱本体の上面開口を閉蓋する蓋体とを連結させる帯状体が知られている。この帯状体には、特売品の表示などの様々なデザインが平面的に印刷され、これにより需要者の注意力を喚起し、販売促進を図っている。しかしながら、従来の帯状体は平面に印刷された印刷部のデザインにより需要者の注意力を喚起するものであるため、平面に印刷されたデザインによる視認性の向上には限界がある。
【０００３】
従来、長方形状のシート本体と、シート本体の中央部にＵ字状の切込線によって形成される突片と、突片に設けられた印刷部と、シート本体の長手方向両端部に設けられた粘着層とで構成された立体シールが知られている（例えば、特許文献１参照）。この立体シールは、粘着層が設けられた両端部を近接させるようにシート本体の中央部を上方に湾曲させて突片を起立させ、粘着層によって商品の上面に貼り付けることにより、突片に印刷された印刷部を立体的にすることができ、商品等の視認性を向上させることができる。
【０００４】
この立体シールを上述の帯状体で連結されたお弁当の包装箱の上面に貼り付ければ、視認性を高めることができ、より需要者の注意力を引き付け、販売促進を図ることができる。
【０００５】
しかしながら、上述の構成では、箱本体と蓋体とを帯状体で連結する連結作業と、立体シールを貼り付ける貼付作業との２つの作業を行う必要があり、面倒である。
【特許文献１】実用新案登録第３０９４５４３号公報
【考案の開示】
【考案が解決しようとする課題】
【０００６】
本考案は、以上の点に鑑み、視認性を高めると共に、作業性を向上させた帯状体を提供することを目的とする。
【課題を解決するための手段】
【０００７】
上記目的を達成するため、本考案は、上下に積重ねられる複数の物体を連結する帯状体であって、両端部を最も下に位置する最下位置物体の側面若しくは底面に貼付け、または帯状体で複数の物体を包んだ状態で両端部を接続することにより複数の物体の連結を維持するものにおいて、積重ねられた複数の物体のうち少なくとも最も上に位置する最上位置物体は対向する一対の側縁を有する天面部を備えるものであり、帯状体は、最上位置物体の天面部に位置する上面部と、上面部の両端縁に連設し、最上位置物体の天面部の各側縁から下方へ折り曲げて垂下する一対の垂下部とを備え、上面部の一方の側縁部には、垂下部を下方に折り曲げた際に垂下部の折曲縁から上方へ起立する突片を形成する切込線が設けられ、突片は印刷部を備えることを特徴とする。
【０００８】
かかる構成によれば、帯状体により複数の物品を連結すると同時に、突片を垂下部の折曲縁から上方へ起立させることができる。これにより、別途、突片を有するシール等を貼付ける作業を行う必要がなく、作業性が向上されると共に、視認性を向上させ、販売促進を図ることができる。
【０００９】
また、本考案において、上面部の両側縁部に突片を形成する切込線を設ければ、帯状体で複数の物体を連結する際に、帯状体の上面部の最上位置物体に対する位置決めが容易となり、より作業性が向上される。
【００１０】
また、本考案においては、複数の物体は、全て同一形状でもよく、逆に、全て異なる形状であってもよい。全て異なる形状の複数の物体としては、例えば、上面が開口する箱本体と、箱本体の上面開口を閉蓋する最上位置物体としての蓋体との２つの物体を連結・封止するものが挙げられる。
【考案を実施するための最良の形態】
【００１１】
図１〜３を参照して本考案の帯状体の第１実施形態について説明する。図１に示すように、第１実施形態の帯状体１は、物体としての発泡スチロール製の納豆パック２を上下方向に３つ積重ねたものを包んで連結して結束するものである。
【００１２】
帯状体１は、図２に展開して示すように、長手方向の中央に納豆パック２の天面部に位置する矩形状の上面部３１を備え、上面部３１の対向する両側縁に連設する垂下部３２を備える。上面部３１の垂下部３２が連設する両側縁部には、垂下部３２を上面部３１に対して下方に折り曲げた際に垂下部３２の折曲縁から上方へ起立する突片４を形成するＵ字状の切込線３１ａが設けられている。
【００１３】
切込線３１ａの両端部３１ｂは、内側へ湾曲して折り返されるように形成されている。これにより、切込線３１ａの両端部３１ｂから帯状体１が破断することを抑制することができる。両垂下部３２の下端縁には、最も下に位置する最下位置物体としての納豆パック２の底面部に位置する下面部３３が連設されている。各突片４の表面には、「新発売」の文字が印刷された印刷部５が設けられいる。帯状体１は、突片４の起立性を良好と成らしめるべく、厚さ５０μｍのＰＥＴ製フィルム等の合成樹脂或いは紙など適切な材料で構成される。
【００１４】
納豆パック２を包む際には、まず、最も上に位置する最上位置物体としての納豆パック２の天面部の対向する側縁に切込線３１ａの各端部が位置するように帯状体１の上面部３１を配置する。そして、垂下部３２を下方へ折り曲げて、各突片４，４を起立させる。そして、下面部３３を垂下部３２に対して内方へ折り曲げ、帯状体１の両端部を重合わせる。そして、この重合わせた部分を熱溶着させることにより、３つの納豆パック２を包んで連結・結束する。
【００１５】
第１実施形態の帯状体１によれば、３つの納豆パック２を連結・結束すると同時に突片４，４を垂下部３２の上方の折曲縁から上方へ起立させることができる。これにより、別途突片を備えるシールを貼り付ける作業を行う必要がなく、作業性が向上されると共に、視認性が高まり、納豆の販売促進を図ることができる。
【００１６】
また、上面部３１の両側縁部に突片４，４を形成する切込線３，３を設けられ、各切込線３の両端部を納豆パック２の天面部の側縁に合わせることにより、帯状体１の上面部３１を納豆パック２の天面部に適切に位置させることができる。このため、帯状体１の納豆パック２に対する位置決めが容易となり、より作業性が向上される。
【００１７】
また、図３に示すように、突片４，４は納豆パック２の天面部の側縁で起立しているため、帯状体１により連結された納豆パック２群を上下方向に積重ねても突片４，４が上方の納豆パック２群の側方に位置し隠れることがない。これにより、積重ねによる突片４の視認性低下を防止し、より販売促進効果を向上させることができる。
【００１８】
次に、図４、図５を参照して本考案の帯状体の第２実施形態について説明する。なお、第１実施形態と同一の構成については同一の符号を付して説明する。
【００１９】
図４に示すように、第２実施形態の帯状体１は、物体としての上方が開口する有底角筒状の箱本体６１と箱本体６１の開口を閉蓋する矩形状の蓋体６２（最上位置物体）とを連結して封止するものである。
【００２０】
第２実施形態の帯状体１は、下面部３３を備えておらず、図５に展開して示すように、各垂下部３２の下端部の裏面に、粘着剤が塗布された粘着層７を備える点を除いて第１実施形態の帯状体１と同一の構成を備える。
【００２１】
帯状体１で、箱本体６１と蓋体６２とを連結・封止するには、まず、箱本体６１の上面開口部を蓋体６２で閉蓋する。そして、帯状体１の上面部３１を蓋体６２の天面部６２ａに位置させて、垂下部３２を蓋体６２及び箱本体６１の側板に沿うように下方へ折り曲げると共に、突片４，４を起立させる。そして、粘着層７を箱本体６１の側板に貼り付け、蓋体６２と箱本体６１とを連結して封止する。
【００２２】
第２実施形態の帯状体１によれば、第１実施形態と同様に、作業性が向上されると共に、視認性が向上され、販売促進効果を向上させることができる。また、上面部３１の両側縁部に設けられた切込線３１ａにより垂下部３２の折曲縁から起立する一対の突片４，４を備えるため、上面部３１の蓋体６２に対する位置決めが容易となり作業性がより向上される。また、包装箱６を上下方向に複数積重ねても、上方の包装箱６によって下方の包装箱６の突片４，４が隠れないため、視認性をより向上させることができ、販売促進効果を向上させることができる。
【００２３】
なお、両実施形態においては、切込線としてＵ字状のものを用いて説明したが、切込線はＵ字状でなくてもよく、例えば、クリスマスツリーを模った複雑な形状としてもよい。また、両実施形態においては、突片を形成する切込線として、上面部３１の両側縁部に夫々形成したものを説明したが、切込線は上面部３１の一方の側縁部にのみ設けてもよい。
【００２４】
また、各突片４に設けられた印刷部５は、表面のみならず裏面にも設けてもよい。特に、切込線を上面部３１の一方の側縁部のみに設けた場合には、印刷部５を突片４の裏面にのみ設けてもよい。この場合、帯状体１で連結された物体群を突片４が後方に位置するように商品棚等に陳列することにより、帯状体１の上面部３１に印刷された表示部などを突片４で隠すことがなく需要者に視認させることができると共に、突片４による視認性向上も図ることができる。
【００２５】
また、第２実施形態の帯状体１においては、粘着層７によって帯状体１の両端部を箱本体６１の側面に貼り付けることにより箱本体６１と蓋体６２とを連結・封止するものを説明した。しかしながら、各垂下部３２の下端縁に内方へ折り曲げて箱本体６１の底面に沿わせる下面部３３を設け、この下面部３３に粘着層７を設けて、箱本体６１の底面に粘着層７を貼り付けることにより、箱本体６１と蓋体６２とを連結させてもよい。また、第１実施形態のように、帯状体１の垂下部３２の下端縁に下面部３３を設け、帯状体１で箱本体６１と蓋体６２とを包んだ状態で、下面部３３を重合わせて熱溶着させて箱本体６１と蓋体６２とを連結・封止してもよい。
【図面の簡単な説明】
【００２６】
【図１】本考案の帯状体の第１実施形態を示す斜視図。
【図２】第１実施形態の帯状体の展開図。
【図３】第１実施形態の帯状体により連結された物体群を積重ねた状態を示す斜視図。
【図４】本考案の帯状体の第２実施形態を示す斜視図。
【図５】第２実施形態の帯状体の展開図。
【符号の説明】
【００２７】
１…帯状体、  ２…納豆パック（物体）、  ３１…上面部、  ３１ａ…切込線、  ３２…垂下部、  ３３…下面部、  ４…突片、  ５…印刷部、  ６１…箱本体（最下位置物体）、  ６２…蓋体（最上位置物体）、  ６２ａ…天面部、  ７…粘着層。
【図１】
0003141840.tif 000003
【図２】
0003141840.tif 000004
【図３】
0003141840.tif 000005
【図４】
0003141840.tif 000006
【図５】
0003141840.tif 000007